(57)【要約】【課題】クリーニングディスクを一定の間を往復させてクリーニングする場合クリーニング部材を光ピックアップレンズの位置に常に対応させる。【解決手段】クリーニングディスク１は、クリーニング部材２をドーナツ状又は半円状に設ける為、クリーニング部材２を取付ける接合部３を、一つ又は複数設けたジョイント部４によりクリーニングディスク１に係合、他の部分は切り欠かれ形成、当該クリニングディスク１の接合面３下面にクリーニング部材２がドーナツ状又は半円状に接合され、クリーニングディスク外周左右に操作紐５を設け構成している。【選択図】図６
2013246863.tif 000002
【特許請求の範囲】
【請求項１】
光ピックアップ装置の対物レンズを清掃するクリーニングディスクにおいて、該クリーニングディスクは、該対物レンズを清掃するためのクリーニング部材に、基布から無数に起毛したベルベット等の素材を用い、ドーナツ状、又は半円状に加工したものをクリーニングディスク演奏面へ取り付け、該クリーニング部材を取り付けた部分を除いた外周部の一部を残しカットしてある。該クリーニングディスクは全体の一部のジョイント部を残し分離されるが外周部の一部に残されたジョイント部により保持されることにより、クリーニング部材を設けたディスク部のみが上下に可動可能となるよう構成したことを特徴としたクリーニングディスク。
【発明の詳細な説明】
【技術分野】
【０００１】本発明は、光ピックアップのレンズをクリーニングするクリーニングディスクに関するものである。
【背景技術】
【０００２】光ピックアップレンズクリーニング用のディスクには従来から光ディスク及光磁気ディスク等が用いられており、これらディスクのＴＯＣエリア近傍、又はプログラムエリア内周近傍に光ピックアップレンズ清掃用のクリーニング部材が少なくとも１つ設けられている。このクリーナーを再生装置で再生することにより、クリーニングディスクが回転し対物レンズとブラシが接しクリーニングを行うタイプの他、クリーニングディスクを回転させず一定の間を往復させてクリーニングするタイプのものがある。
【発明が解決しようとする課題】
【０００３】クリーニングディスクを回転させず一定の間を往復させてクリーニングするタイプのものに関するもので、このタイプではクリーニング部材を光ピックアップレンズの位置に来るように設ける必要があり、プレーヤの光ピックアップレンズの位置の違いに合わせたものを個別に用意しなくてはならない等の問題があった。
【課題を解決する手段】
【０００４】これら従来製品が少量のブラシを所定の部位に設けざるを得ない事情の機構であった為に、プレーヤ別に用意する必要が生じていたが、本発明では光ピックアップレンズ位置がプレーヤによる違いがあっても、全てのプレーヤに対応すべく、クリーニング部材に基布から無数に起毛したベルベット等の素材を用い、ドーナツ状、又は半円状に加工したものをクリーニングディスク演奏面へ取り付けてある。しかし、起毛したクリーニング部材は密集している構成からなるため厚みがあり、開口部の上下が狭いスロットインタイプのプレーヤでは入り口でこの厚みが抵抗となり内部への装填が出来なくなる問題があった。本発明ではクリーニングディスクに、前記した基布から無数に起毛したベルベット等の素材を用い、ドーナツ状、又は半円状に加工したクリーニング部材を取り付けるが、該クリーニング部材を取り付けるクリーニングディスクはクリーニング部材外周部と隙間を設けカット分離する、そうすることで該クリーニング部材を設ける部分とそれ以外の部分が一部を残し分離されるが、分離した部分同士の一部がジョイントしており、このジョイントにより上下動の抵抗を少なくすることが出来、開口部の上下が狭いスロットインタイプのプレーヤであってもクリーニングディスク装填時に、上下動が容易に行われ挿入時の抵抗を逃がすことが出来、装填が可能となる。
【発明の効果】
【０００５】本発明のクリーニングディスクは再生装置内で回転させずに、クリーニング部材が光ピックアップレンズのみと接触しクリーニングができる構造で、更にベルベット状の素材をドーナツ状、或いは半円状に加工し、クリーニング部材として使用している為、光ピックアップレンズがどの位置にあっても対応可能であり、クリーニング部材が多数の起毛したベルベット状である為クリーニング効果も増大する。
【図面の簡単な説明】
【０００６】
【図１】本発明の、クリーニング部材の形状を示す正面図である。
【図２】本発明の、クリーニング部材の形状を示す下面図である。
【図３】本発明の、クリーニングディスクドーナツ形状を示す平面図である。
【図４】本発明の、クリーニングディスク半円形状を示す平面図である。
【図５】本発明の、クリーニングディスクドーナツ形状の構成を示す正面図である。
【図６】本発明の、クリーニングディスクドーナツ形状の構成を示す下面図である。
【図７】本発明の、クリーニングディスク半円形状の構成を示す正面図である。
【図８】本発明の、クリーニングディスク半円形状の構成を示す下面図である。
【図９】本発明の、クリーニングディスクの実施例を示す斜視図である。
【発明を実施するための形態】
【０００７】本発明はクリーニングディスクを回転させず一定の間を往復させてクリーニングするタイプものに関するもので、クリーニング部材にはベルベット等の素材をドーナツ状、又は半円状に加工したものをクリーニングディスク演奏面へ取り付けるが、該クリーニング部材を取り付けるクリーニングディスクはクリーニング部材外周部と隙間を設けカット分離し、分離した部分同士の一部がジョイントしており、該クリーニング部材を取り付けた部分が、上下に自由に可動可能となるよう構成、開口部の上下が狭いスロットインタイプのプレーヤであってもクリーニングディスク装填時に上下動が容易に行われ挿入時の抵抗を逃がすことが出来、該クリーニングディスクの装填を容易にし、前記したクリーニング部材の使用により、光ピックアップレンズがどの位置にあっても対応できる事を実現している。
【実施例】
【０００８】本発明の実施例を図１〜図９に依って説明する。
クリーニングディスク１はクリーニング部材２をドーナツ状又は半円状に設ける為、クリーニング部材２を取付ける接合部３を、一つ又は複数設けたジョイント部４によりクリーニングディスク１に係合、他の部分は切り欠かれ形成、当該クリニングディスク１の接合面３下面にクリーニング部材２がドーナツ状又は半円状に接合され、クリーニングディスク外周左右に操作紐５を設け構成している。【０００９】以上の通り構成したクリーニングディスク１を、プレーヤ６挿入後クリーニングディスク１の外周左右に取付けた、操作用紐５を操作する事により光ピックアップレンズのクリーニングが実施される。
【符号の説明】
【００１０】１：クリーニングディスク
２：クリーニング部材
３：接合部
４：ジョイント部
５：操作用紐
６：プレーヤ
【図１】
2013246863.tif 000003
【図２】
2013246863.tif 000004
【図３】
2013246863.tif 000005
【図４】
2013246863.tif 000006
【図５】
2013246863.tif 000007
【図６】
2013246863.tif 000008
【図７】
2013246863.tif 000009
【図８】
2013246863.tif 000010
【手続補正書】
【提出日】平成24年8月23日(2012.8.23)
【手続補正１】
【補正対象書類名】図面
【補正対象項目名】図９
【補正方法】追加
【補正の内容】
【図９】
2013246863.tif 000011